(57)【要約】【課題】ディスクアレイ装置を用いたミラーリングシステムにおいて、ＨＤＤのモータ駆動電流のタイミングをずらした構成で、ＨＤＤの着脱可能時、接続ミスで主のＨＤＤが入れ替わると主のＨＤＤへの給電が遅くなり、リード開始が遅くなってしまい、システムの起動時間が長くなってしまう。【解決手段】ディスクアレイの主のＨＤＤがどちらに接続されているか判定を行い、誤接続が発生しているか否かを表示することで、ユーザに正しい接続を促し、システムの起動時間が遅くなることを抑制する。【選択図】図６
2017174026.tif 000002
【特許請求の範囲】
【請求項１】
２つ以上の記憶装置が記憶制御装置を介して接続される情報処理装置であって、
第１の記憶装置を接続するための第１のインターフェースと、
第２の記憶装置を接続するための第２のインターフェースと、
前記第１のインターフェースを介して前記第１の記憶装置に対してライトおよびリードを行い、前記第２のインターフェースを介して前記第２の記憶装置に対してライトのみを行う記憶制御装置と、
少なくとも前記第１および第２のインターフェースへの給電を制御する電源制御部と、を有し、
前記電源制御部は、前記第２のインターフェースへの給電タイミングを前記第１のインターフェースへの給電タイミングより遅らせる制御を行い、
前記記憶制御装置は、前記第１および第２の記憶装置が、前記第１および第２のインターフェースに正しく接続されているかを検知する接続検知機能を持ち、接続が入れ替わっている場合に接続変更要求を表示することを特徴とする情報処理装置。
【請求項２】
前記記憶制御装置の接続検知機能で、接続の入れ替わりを、前記第１と第２の記憶装置の固有識別子に基づいて検知することを特徴とする請求項１に記載の情報処理装置。
【請求項３】
前記記憶制御装置の接続検知機能で、接続の入れ替わりを前記第１と第２の記憶装置の起動応答タイミングに基づいて検知することを特徴とする請求項１に記載の情報処理装置。
【発明の詳細な説明】
【技術分野】
【０００１】
本発明は、２つ以上の記憶装置が記憶制御装置を介して接続される情報処理装置に関する。
【背景技術】
【０００２】
情報処理装置では、記憶媒体としてＨＤＤが用いられる。ＨＤＤの信頼性を向上させる技術として、ミラーリングが存在する。ミラーリングでは、２台のＨＤＤに同じデータを書き込むことにより、一方のＨＤＤが故障しても、そのＨＤＤを新たなＨＤＤに交換すれば、もう一方のＨＤＤを用いてデータを復旧することが可能である。ミラーリングでは、主となるＨＤＤと復旧用のＨＤＤがあり、主となるＨＤＤからリードを行い、主となるＨＤＤ及び復旧用のＨＤＤの両方に対してライトを行う。今後主となるＨＤＤをマスター、復旧用のＨＤＤをスレーブと称する。
【０００３】
複数のＨＤＤを有する装置において、装置の起動時やスリープ復帰時に複数のＨＤＤを同時に起動すると、ディスクの駆動モータが同時にオンして、一時的に大きな電流が流れてしまう。
【０００４】
特許文献１には、一時的な大きな電流のために電源の電流容量を大きくしなくて済むように、複数のＨＤＤの起動タイミングをずらす方法が提案されている。
【先行技術文献】
【特許文献】
【０００５】
【特許文献１】特開平４−１０９４５７号公報
【発明の概要】
【発明が解決しようとする課題】
【０００６】
しかしながら、上述した特許文献１のミラーリングシステムでは、複数のＨＤＤのうちの起動タイミングを遅くしたＨＤＤの起動が遅くなってしまう。マスターのＨＤＤの起動をスレーブのＨＤＤより遅くしてしまうと、装置のメインＣＰＵは、スレーブのＨＤＤの後に起動されるマスターのＨＤＤが起動した後に、当該マスターのＨＤＤから起動やスリープ復帰に必要な情報をリードする。
【０００７】
マスターのＨＤＤの電源の起動が遅い方に接続されるケースとしては、例えば着脱可能なマスター・スレーブのＨＤＤをユーザが逆に接続する場合などがある。このような場合には装置の起動時間やスリープ復帰時間が長くなってしまう。
【０００８】
本発明は、上記の課題に鑑みてなされたものであり、装置の起動時間やスリープ復帰時間を短縮させるための手段を提供することを目的とする。
【課題を解決するための手段】
【０００９】
上記の目的を達成するために、本発明に係る情報処理装置は、
２つ以上の記憶装置が記憶制御装置を介して接続される情報処理装置において、第１の記憶装置を接続するための第１のインターフェースと、第２の記憶装置を接続するための第２のインターフェースと、前記第１のインターフェースを介して前記第１の記憶装置に対してライトおよびリードを行い、前記第２のインターフェースを介して前記第２の記憶装置に対してライトのみを行う記憶制御装置と、少なくとも前記第１および第２のインターフェースへの給電を制御する電源制御部と、を有し、前記電源制御部は、前記第２のインターフェースへの給電タイミングを前記第１のインターフェースへの給電タイミングより遅らせる制御を行い、
前記記憶制御装置は、前記第１および第２の記憶装置が、前記第１および第２のインターフェースに正しく接続されているかを検知する接続検知機能を持ち、接続が入れ替わっている場合に接続変更要求を表示することを特徴とする。
【発明の効果】
【００１０】
本発明に係る情報処理装置によれば、マスターのＨＤＤの電源の起動が遅い方に接続されていることをユーザに通知し、正しい接続に戻せるようにすることで、起動時間が遅くなることを防ぐことが出来る。
【図面の簡単な説明】
【００１１】
【図１】画像形成装置１００の構成を示すブロック図
【図２】画像形成装置１００の電源構成を示すブロック図
【図３】ディスクアレイ装置２００の状態遷移図
【図４】画像形成装置１００の起動の簡易フロー図
【図５】ディスクアレイの起動の簡易アクセス図
【図６】第一の実施例のフロー図
【図７】ＨＤＤ給電シーケンス図
【発明を実施するための形態】
【００１２】
以下、本発明を実施するための形態を図面に基づいて説明する。
【００１３】
１台目のＨＤＤと２台目のＨＤＤの接続口が入れ替わるシチュエーションは、挿抜可能な構成において、ユーザが接続を間違えてしまうケースである。
【００１４】
〔第一の実施例〕
第一の実施例では、挿抜可能な構成においてのマスターＨＤＤの接続口の入れ替わりを検知してＨＤＤの接続変更要求表示する動作を説明する。
【００１５】
図１は画像形成装置のハードウェア構成を示すブロック図である。図１で示す画像形成装置１００は、２つ以上の記憶装置が接続される情報処理装置の一例であり、情報処理装置は画像形成装置以外（例えばＰＣ等）であっても良い。
【００１６】
図１の、情報処理装置２２６は、ＬＡＮコントローラ１１３、ＬＡＮＩ／Ｆ１３０を介してＬＡＮ１３２に接続される。また、ＦＡＸ１１８は、電話回線１３１に接続されている。
【００１７】
ＣＰＵ１０４は、情報処理装置２２６の装置全体を制御するソフトウェアプログラムを実行する。ＲＡＭ１０６は、ＣＰＵ１０４が装置を制御する際の一時的なデータの格納などに使用される。ＲＯＭ１０５は、装置の起動プログラムや各種設定値等が格納されている。
【００１８】
操作部１２４は操作用液晶パネルや節電キー１２５を含むハードキーを備え、ユーザから入力される指示を受け付ける。操作部Ｉ／Ｆ１０９は、情報処理装置２２６と操作部１２４とを接続するインターフェースである。
【００１９】
ＡＤＦ（Ａｕｔｏ  Ｄｏｃｕｍｅｎｔ  Ｆｅｅｄｅｒ）１２７は、原稿を連続してスキャナ部１２６で画像を読み込むために、当該原稿をスキャナ部１２６の読取部に搬送する装置である。ＡＤＦ１２７はユーザから原稿が置かれたことを検知するための原稿検知部１２８を備える。
【００２０】
原稿検知部１２８は、ＡＤＦＩ／Ｆ１１１を経由して、電源制御部１０３に接続される。省電力モードで、原稿検知部１２８が原稿を検知した場合には、画像形成装置１００は、省電力モードからスタンバイモードへ移行する。
【００２１】
ＣＰＵ１０４は、ＡＤＦ  Ｉ／Ｆ１１１を経由してＡＤＦ１２７の制御を行う。スキャナ１２６は、原稿台またはＡＤＦ１２７に設置された原稿の画像を読み取り、画像データを生成する。ＣＰＵ１０４は、スキャナＩ／Ｆ１１０を経由してスキャナ１２６の制御を行う。
【００２２】
プリンタ１２９は、生成された画像データまたは読み取った画像データに基づく画像を用紙（シート）に印刷する。ＣＰＵ１０４は、プリンタＩ／Ｆ１１２を経由してプリンタ１２９の制御を行う。
【００２３】
ＦＡＸ１１８は、モデム１１９、ＣＰＵ１２０、ＲＡＭ１２２、ＲＯＭ１２１、受信検知部１２３で構成される。ＦＡＸ１１８は、電話回線１３１を介して外部装置とのデータ通信制御を行う。モデム１１９は、ＦＡＸ１１８の送受信のための変調を行う。ＣＰＵ１０４は、ＦＡＸＩ／Ｆ１０７を介してＦＡＸの送受信の制御を行う。
【００２４】
ＲＡＭ１２２は、ＣＰＵ１２０がＦＡＸ１１８を制御する際に一時的なデータを格納する。ＲＯＭ１２１は、ＦＡＸ１１８の起動プログラムや各種設定値等が格納されている。ＦＡＸ１１８のＣＰＵ１２０、ＲＡＭ１２２およびＲＯＭ１２１の機能を、情報処理装置２２６に持たせても良い。電源制御部１０３は、画像形成装置１００の電力制御を行う。
【００２５】
電源制御部１０３は、電源１０１に接続される電源部１０２によって生成される電力の各部への供給および停止を制御する。詳細については図２の電源構成図で説明する。
【００２６】
省電力モード時に人感センサ１１４は、画像形成装置１００に近づく人を検知し、省電力モードから通常モードへ電源制御を切り替える。省電力モードについて詳細は本特許では記述しない。
【００２７】
画像処理装置１０８はスキャナ１２６から取り込んだ画像の処理及びプリンタ１２９へ出力するための画像処理を行う。
【００２８】
ディスクアレイ装置１１５は記憶制御装置であり、ＨＤＤ１（１１６）及びＨＤＤ２（１１７）の制御を行い、ＨＤＤ１  Ｉ／Ｆ（１３５）とＨＤＤ１（１１６）の接続とＨＤＤ２  Ｉ／Ｆ（１３６）とＨＤＤ２（１１７）の接続検知をすることができる。また、ディスクアレイ装置１１５、ＨＤＤ１（１１６）、ＨＤＤ２（１１７）、ＨＤＤ１  Ｉ／Ｆ（１３５）、ＨＤＤ２  Ｉ／Ｆ（１３６）は、画像形成装置１００の外部に存在することとしても良い。
【００２９】
ＣＰＵ１０４は、画像形成装置１００の制御全般を司る。ＣＰＵ１０４の持つシリアルＡＴＡ（以後ＳＡＴＡと称する）コントローラ１３３とディスクアレイ装置１１５のＳＡＴＡコントローラ１３４はＳＡＴＡで接続される。なお、ディスクアレイ装置１１５がない場合にはＨＤＤ１（１１６）が直接ＣＰＵ１０４の持つＳＡＴＡコントローラ１３３に接続する構成でも良い。ＣＰＵ１０４とディスクアレイ装置１１５、ＨＤＤ１（１１６）及びＨＤＤ２（１１７）の通信はＣＰＵ１０４から送受信されることとなる。
【００３０】
なお、このＳＡＴＡはパラレルＡＴＡ（以後ＰＡＴＡと称する）Ｉ／Ｆを使用しても良い。説明は省略するが、その際のコマンドはＰＡＴＡコマンドを用いて同様の処理を行うこととなる。
【００３１】
ディスクアレイ装置１１５は、ＣＰＵ１０４からの命令により、ＨＤＤ１（１１６）及びＨＤＤ２（１１７）に対してデータの書き込み又は読み出しを行う。ディスクアレイ装置１１５は、ＨＤＤ１（１１６）及びＨＤＤ２（１１７）のミラーリングを行う（図３を用いて後述する）。ミラーリングとは、２台のＨＤＤに同じデータを書き込むことにより、１台のＨＤＤが故障した場合に、もう１台のＨＤＤのデータを用いてデータを復元することが可能な技術である。
【００３２】
データ記憶部１３３は、ミラーリングの際に使用する各種データを記憶する。データ記憶部１３３には、フラッシュＲＯＭやボタン型電池でデータが保持されるＳＲＡＭ等が使用される。データ記憶部１３３に記憶されるデータとしては、ＨＤＤの種類や個数等が含まれる。
【００３３】
ＨＤＤ１（１１６）及びＨＤＤ２（１１７）は、データを記憶する不揮発性の記憶装置である。なお、記憶装置としては、ＨＤＤ以外の記憶装置（例えばＳＳＤ等）であっても良い。
【００３４】
図２は画像形成装置における電源制御ブロック図である。
【００３５】
電源１０１から給電された電源はＳＷ１（２０１）及びＳＷ２（２０２）を介して第一電源部２０５及び第二電源部２０６へ給電される。
【００３６】
第一電源部２０５は主に省電力モード時もオンになっている電源であり、第二電源部２０６は省電力時にオフになる電源を各ユニットへ給電している。第一電源部２０５は電源制御部１０３に給電され、電源制御部１０３は第二電源部２０６及びＳＷ３（２０３）、ＳＷ４（２０４）のオンオフを制御している。その他複数の電力モードを持ち、制御を行っても良いが、本特許では詳細は記載しない。
【００３７】
また省電力モードから通常電力モードへの復帰要因を複数持つ。ＬＡＮコントローラ１１３からの復帰信号３０１を検出した場合、ＦＡＸ検知１２３からの復帰信号３０２を検出した場合、節電キー１２５が押され、復帰信号３０４を検出した場合、人感センサ１１４が人を検知して復帰信号３０４を検視した場合などがある。
【００３８】
電源制御部１０３からのオンオフ切り替え信号３００はＳＷ２０２をオンし、第二電源部２０６の給電を開始する。電源制御部１０３からオンオフ切り替え信号３０５はＨＤＤ１  Ｉ／Ｆ（１３５）を経由してＨＤＤ１（１１６）への給電を制御し、オンオフ切り替え信号３０６は、ＨＤＤ２  Ｉ／Ｆ（１３６）を経由してＨＤＤ２（１１７）の給電を制御する。
【００３９】
図３はディスクアレイ装置１１５の状態遷移図である。
【００４０】
ディスクアレイ装置１１５は、シングルモードとミラーリングモードの２つの動作モードを有する。シングルモードは、１台のみのＨＤＤで動作するモードである。ミラーリングモードは、２台のＨＤＤを装着した状態で動作するモードである。ミラーリングモードには、ミラーステート、デグレードステート、リビルドステート、ホールトステートの４つの状態が存在する。
【００４１】
ミラーステートは、２台のＨＤＤで正常に動作している状態である。ミラーステートでは、２台のＨＤＤのうち、読み出しはマスターＨＤＤのみに対して行い、書き込みはマスターＨＤＤとスレーブＨＤＤの両方に対して行う。ミラーステートにおいて、片方のＨＤＤ（１台目のＨＤＤ）が故障すると、デグレードステートへ移行する。ミラーステートにおいて、ＣＰＵ１０４からリビルドステートへの移行命令があると、リビルドステートへ移行する。
【００４２】
デグレードステートは、一方のＨＤＤ（故障していないＨＤＤ）のみで動作している状態で、もう一方のＨＤＤ（故障しているＨＤＤ）へはアクセスが発生していない状態である。デグレードステートにおいて、故障しているＨＤＤの代わりに新たなＨＤＤが装着されると、リビルドステートへ移行する。デグレードステートにおいて、故障していないＨＤＤ（２台目のＨＤＤ）も故障すると、ホールトステートへ移行する。
【００４３】
リビルドステートは、片方のＨＤＤ（前から装着され故障しなかったＨＤＤ）のみで動作している状態だが、そのＨＤＤからもう片方のＨＤＤ（故障したＨＤＤの代わりに新たに装着されたＨＤＤ）へデータをコピー（リビルド）している状態である。この時、コピー元のＨＤＤ（前から装着され故障しなかったＨＤＤ）をマスターＨＤＤ、コピー先のＨＤＤ（故障したＨＤＤの代わりに新たに装着されたＨＤＤ）をスレーブＨＤＤと呼ぶ。リビルドステートにおいて、リビルドが完了すると、ミラーステートへ移行する。リビルドステートにおいて、スレーブＨＤＤが故障すると、デグレードステートへ移行する。リビルドステートにおいて、マスターＨＤＤが故障すると、ホールトステートへ移行する。
【００４４】
ホールトステートは、両方のＨＤＤが故障したことにより、ミラーリングが継続できなくなった状態である。
【００４５】
図４では画像形成装置１００が起動するまでの簡易的なフローチャートを示す。
【００４６】
Ｓ１で電源がオンされると画像形成装置１００のＣＰＵ１０４が初期化され（Ｓ２）、ＣＰＵ１０４がＲＯＭ１０５の起動アクセスを行う（Ｓ３）。その後ＣＰＵ１０４はＳＡＴＡコントローラ１３３を経由してディスクアレイ装置１１５のＳＡＴＡコントローラ１３４と通信する。その後ディスクアレイ装置１１５のＳＡＴＡコントローラ１３４を経由してＨＤＤ１（１１６）へ起動アクセス（Ｓ４）をして、画像形成装置１００は起動する。
【００４７】
図５ではミラーリングシステムにおいての初期動作の簡易フローを説明する。この説明ではＨＤＤ１（１１６）をマスターで給電が先、ＨＤＤ２（１１７）をスレーブで給電が後の時を代表として説明する。
【００４８】
ＳＡＴＡの通信確立までホストであるＣＰＵ１０４のＳＡＴＡコントローラ１３３はＣｏｍ−ｒｅｓｅｔ（Ｓ１０）というコマンドを発行し続ける。ディスクアレイ装置１１５のＳＡＴＡコントローラ１３４はＨＤＤの起動を待ってしまうとＨＤＤへのアクセスが不要な場合にもＣＰＵ１０４が起動を待ってしまう。
【００４９】
ディスクアレイ装置１１５のＳＡＴＡコントローラ１３４はＨＤＤがいるように見せかけるために、準備が完了したデバイスとしてＲｅｇＤ−ＨをＣＰＵ１０４のＳＡＴＡコントローラ１３３へ通知する（Ｓ１３）。実際にはＨＤＤは準備完了となっていないため、ディスクアレイ装置１１５のＳＡＴＡコントローラ１３４のホストはＨＤＤに対して、ＲｅｇＤ−Ｈが来るまでＣｏｍ−ｒｅｓｅｔを発行し続ける（Ｓ１１及びＳ１２）。
【００５０】
ＣＰＵ１０４のＳＡＴＡコントローラ１３３はＨＤＤの情報を得るためにＩｄｅｎｔｉｆｙコマンドを発行し、ディスクアレイ装置１１５のＳＡＴＡコントローラ１３４は過去の接続履歴から想定し、一時的にＳｔａｔｕｓを返す（Ｓ１５）。このＳｔａｔｕｓはＨＤＤの型名やシリアル（固有識別子）、容量などの情報である。この間もディスクアレイ装置１１５のＳＡＴＡコントローラ１３４はＨＤＤ１（１１６）及びＨＤＤ２（１１７）に対して、Ｃｏｍ−ｒｅｓｅｔを発行し続ける。そしてＨＤＤ１（１１６）が起動し、ＲｅｇＤ−Ｈを返すとＨＤＤ１（１１６）に対して、Ｉｄｅｎｔｉｆｙコマンドを発行し（Ｓ１７）、ＨＤＤ１（１１６）はＳｔａｔｕｓを返す（Ｓ１８）。
【００５１】
起動のためにＣＰＵ１０４のＳＡＴＡコントローラ１３３からディスクアレイ装置１１５のＳＡＴＡコントローラ１３４へＲｅａｄ要求を出す（Ｓ１９）。
【００５２】
ディスクアレイ装置１１５のＳＡＴＡコントローラ１３４はＨＤＤ１（１１６）に対してＲｅａｄ要求を出し（Ｓ２０）、ＨＤＤ１（１１６）はＤａｔａを返す（Ｓ２１）。
【００５３】
ディスクアレイ装置１１５のＳＡＴＡコントローラ１３４はＨＤＤ１（１１６）より受け取ったＤａｔａをＣＰＵ１０４のＳＡＴＡコントローラ１３３へ返す（Ｓ２２）。
【００５４】
ＨＤＤ２（１１７）も起動をするとディスクアレイ装置１１５のＳＡＴＡコントローラ１３４に対して、ＲｅｇＤ−Ｈを返す（Ｓ２３）。
【００５５】
ディスクアレイ装置１１５のＳＡＴＡコントローラ１３４はＨＤＤ２（１１７）に対してＩｄｅｎｔｉｆｙコマンドを発行し（Ｓ２４）、ＨＤＤ２（１１７）はＳｔａｔｕｓをディスクアレイ装置１１５のＳＡＴＡコントローラ１３４に返す（Ｓ２５）。
【００５６】
そうするとＨＤＤは２台とも準備完了となるため、Ｗｒｉｔｅ動作も可能となる。ＣＰＵ１０４のＳＡＴＡコントローラ１３３がＷｒｉｔｅ要求を出す（Ｓ２６）とディスクアレイ装置１１５のＳＡＴＡコントローラ１３４はＨＤＤ１（１１６）及びＨＤＤ２（１１７）に対してＷｒｉｔｅを行う（Ｓ２７，２８）。
【００５７】
図６では２台のＨＤＤと２つのＨＤＤ  Ｉ／Ｆの接続変更要求を表示する場合のフローを示す。
【００５８】
Ｓ１０１で画像形成装置１００が起動した後、ＨＤＤ１（１１６）及びＨＤＤ２（１１７）が挿抜可能な構成であるか判定をＣＰＵ１０４またはディスクアレイ装置１１５が行う（Ｓ１０２）。挿抜可能かの判定は挿抜可能な場合、ＨＤＤの接続が入れ替わる可能性があるため、判定を行う。
【００５９】
挿抜可能であると判定された場合にはＳ１０３へ移行し、挿抜不可と判定された場合には接続変更要求は行わない。ＨＤＤはセキュリティ要求の高い部品であり、ＨＤＤを抜いて金庫などで管理するために挿抜可能な構成を取る場合がある。この時、ＨＤＤの挿抜可能な構成か否かを判定するには電気的に判定ＳＷを設けても良いし、ソフト的に設定出来るようにＳＷを設けても良い。しかし、ＨＤＤを戻す際に誤って違う方へ挿してしまうとマスターとスレーブの電源の給電順序が変わってしまい、起動時間が長くなってしまう。
【００６０】
Ｓ１０３でディスクアレイ装置１１５がＨＤＤ  Ｉ／ＦとＨＤＤの接続をＨＤＤ固有の識別子で検知し入れ替わりを検知する（Ｓ１０３）。ＨＤＤが入れ替わっている場合にはディスクアレイ装置１１５がＣＰＵ１０４に入れ替わりを通知し、ＣＰＵ１０４が操作部１２４に接続変更要求を表示する（Ｓ１０４）。
【００６１】
図７はＨＤＤへの電源の給電タイミングを示した図である。図７（ａ）（ｂ）ともに、縦軸がＨＤＤ１，ＨＤＤ２それぞれの電源電圧を示し、横軸が時間を示している。
【００６２】
図７（ａ）は２台のＨＤＤが２つのＨＤＤ  Ｉ／Ｆに正しく接続されているときのＨＤＤ１とＨＤＤ２への給電タイミングを示している。電源制御部１０３は先にＳＷ２０３をオンしてＨＤＤ１（１１６）に給電を行い、その後ＳＷ２０４をオンしてＨＤＤ２（１１７）に対して給電を行う。
【００６３】
図７（ｂ）は２台のＨＤＤが２つのＨＤＤ  Ｉ／Ｆに入れ替わって接続されているときのＨＤＤ１とＨＤＤ２への給電タイミングを示している。電源制御部１０３がＳＷ２０３をオンするとＨＤＤ２（１１７）に給電され、その後ＳＷ２０４をオンするとＨＤＤ１（１１６）に給電される。結果、マスターのＨＤＤ１の給電が遅くなり、起動が遅くなることを示している。
【００６４】
図６のＳ１０３でＨＤＤの入れ替わりを検知した場合、図７（ｂ）の状態であるため、起動が遅くなっている。図６のＳ１０４の接続変更要求表示でユーザに入れ替わりを通知するため、接続変更により図７（ａ）の状態に戻り、起動時間が遅くなることを防ぐことができる。
【００６５】
Ｓ１０２を省略し、挿抜可能か判定を行わず、ＨＤＤの入れ替えのみを検出して、接続変更表示をしても良い。
【００６６】
（他の実施形態）
上記した実施形態では、本発明の情報処理装置として画像形成装置について説明したが、パーソナルコンピュータやサーバなどの情報処理装置であっても良い。
【００６７】
また、本発明の目的は、前述した実施形態の機能を実現するソフトウェアのプログラムコードを記録した記録媒体を、システムあるいは装置に供給するよう構成することによっても達成される。この場合、そのシステムあるいは装置のコンピュータ（またはＣＰＵやＭＰＵ）が記録媒体に格納されたプログラムコードを読出し実行することにより、上記機能が実現されることとなる。なお、この場合、そのプログラムコードを記憶した記録媒体は本発明を構成することになる。
【００６８】
プログラムコードを供給するための記録媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００６９】
また、コンピュータが読出したプログラムコードを実行することにより、前述した実施形態の機能が実現される場合に限られない。例えば、そのプログラムコードの指示に基づき、コンピュータ上で稼働しているＯＳ（オペレーティングシステム）などが実際の処理の一部または全部を行い、その処理によって前述した実施形態の機能が実現される場合も含まれる。
【００７０】
さらに、記録媒体から読出されたプログラムコードが、コンピュータに挿入された機能拡張ボードやコンピュータに接続された機能拡張ユニットに備わるメモリに書込まれた後、前述した実施形態の機能が実現される場合も含まれる。つまり、プログラムコードがメモリに書込まれた後、そのプログラムコードの指示に基づき、その機能拡張ボードや機能拡張ユニットに備わるＣＰＵなどが実際の処理の一部または全部を行い、その処理によって実現される場合も含まれる。
【符号の説明】
【００７１】
１００  画像形成装置、１０３  電源制御部、１１５  ディスクアレイ装置、
１１６，１１７  ＨＤＤ、１３５  ＨＤＤ１  Ｉ／Ｆ、１３６  ＨＤＤ２  Ｉ／Ｆ
【図１】
2017174026.tif 000003
【図２】
2017174026.tif 000004
【図３】
2017174026.tif 000005
【図４】
2017174026.tif 000006
【図５】
2017174026.tif 000007
【図６】
2017174026.tif 000008
【図７】
2017174026.tif 000009